(57)【要約】【課題】使い勝手の更なる向上を可能としたストロー付きのキャップユニットを提供する。【解決手段】蓋開閉機構は、キャップ本体７にスライド自在に取り付けられたスライド部材を有し、スライド部材がスライド方向の一方側に向けてスライドされることによって、スライド部材のスライドに連動して、蓋体９が開方向に回動される一方、スライド部材がスライド方向の他方側に向けてスライドされることによって、スライド部材のスライドに連動して、蓋体９が閉方向に回動される構造を有し、スライド部材は、キャップ本体７に設けられた通気口１８を開閉する栓部２６を有し、蓋ロック機構１１により蓋体９が固定されたときに、栓部２６により通気口１８が閉塞される一方、蓋ロック機構１１による蓋体９の固定が解除されて、スライド部材がスライド方向の他方側に向けてスライドしたときに、通気口１８が開放される。【選択図】図１
2019006491.tif 000002
【特許請求の範囲】
【請求項１】
上部が開口した容器本体の口頸部に着脱自在に取り付けられるキャップユニットであって、
前記容器本体の上部開口部を閉塞すると共に、可撓性を有するストローが上部から突出して設けられたキャップ本体と、
前記キャップ本体に回動自在に取り付けられた状態で、前記ストローを折り曲げた状態で収容する蓋体と、
前記蓋体を手動で開閉操作するための蓋開閉機構と、
前記蓋体が前記ストローを収容した位置にて前記蓋体を前記キャップ本体に対して固定する蓋ロック機構とを備え、
前記蓋開閉機構は、前記キャップ本体にスライド自在に取り付けられたスライド部材を有し、
前記スライド部材がスライド方向の一方側に向けてスライドされることによって、前記スライド部材のスライドに連動して、前記蓋体が開方向に回動される一方、
前記スライド部材がスライド方向の他方側に向けてスライドされることによって、前記スライド部材のスライドに連動して、前記蓋体が閉方向に回動される構造を有し、
前記スライド部材は、前記キャップ本体に設けられた通気口を開閉する栓部を有し、
前記蓋ロック機構により前記蓋体が固定されたときに、前記栓部により前記通気口が閉塞される一方、
前記蓋ロック機構による前記蓋体の固定が解除されて、前記スライド部材がスライド方向の他方側に向けてスライドしたときに、前記通気口が開放されることを特徴とするキャップユニット。
【請求項２】
上部が開口した容器本体の口頸部に着脱自在に取り付けられるキャップユニットであって、
前記容器本体の上部開口部を閉塞すると共に、可撓性を有するストローが上部から突出して設けられたキャップ本体と、
前記キャップ本体に回動自在に取り付けられた状態で、前記ストローを折り曲げた状態で収容する蓋体と、
前記蓋体を手動で開閉操作するための蓋開閉機構と、
前記蓋体が前記ストローを収容した位置にて前記蓋体を前記キャップ本体に対して固定する蓋ロック機構とを備え、
前記蓋開閉機構は、前記キャップ本体にスライド自在に取り付けられたスライド部材を有し、
前記スライド部材がスライド方向の一方側に向けてスライドされることによって、前記スライド部材のスライドに連動して、前記蓋体が開方向に回動される一方、
前記スライド部材がスライド方向の他方側に向けてスライドされることによって、前記スライド部材のスライドに連動して、前記蓋体が閉方向に回動される構造を有し、
前記蓋体は、前記キャップ本体に設けられた通気口を開閉する栓部を有し、
前記蓋ロック機構により前記蓋体が固定されたときに、前記栓部により前記通気口が閉塞される一方、
前記蓋ロック機構による前記蓋体の固定が解除されて、前記蓋体が開方向に回動されたときに、前記通気口が開放されることを特徴とするキャップユニット。
【請求項３】
上部が開口した容器本体の口頸部に着脱自在に取り付けられるキャップユニットであって、
前記容器本体の上部開口部を閉塞すると共に、可撓性を有するストローが上部から突出して設けられたキャップ本体と、
前記キャップ本体に回動自在に取り付けられた状態で、前記ストローを折り曲げた状態で収容する蓋体と、
前記蓋体を手動で開閉操作するための蓋開閉機構と、
前記蓋体が前記ストローを収容した位置にて前記蓋体を前記キャップ本体に対して固定する蓋ロック機構とを備え、
前記蓋開閉機構は、前記キャップ本体にスライド自在に取り付けられたスライド部材を有し、
前記スライド部材がスライド方向の一方側に向けてスライドされることによって、前記スライド部材のスライドに連動して、前記蓋体が開方向に回動される一方、
前記スライド部材がスライド方向の他方側に向けてスライドされることによって、前記スライド部材のスライドに連動して、前記蓋体が閉方向に回動される構造を有し、
前記蓋ロック機構により前記蓋体が固定されたときに、前記ストローにより前記通気口が閉塞される一方、
前記蓋ロック機構による前記蓋体の固定が解除されて、前記ストローが折り曲げられた状態から元の状態へと弾性復帰したときに、前記通気口が開放されることを特徴とするキャップユニット。
【請求項４】
前記通気口は、前記キャップ本体の前記蓋体により閉塞される領域の内側に設けられていることを特徴とする請求項１〜３の何れか一項に記載のキャップユニット。
【請求項５】
前記通気口は、前記キャップ本体の前記蓋体により閉塞される領域の外側に設けられていることを特徴とする請求項１に記載のキャップユニット。
【請求項６】
前記栓部は、弾性部材からなることを特徴とする請求項１〜５の何れか一項に記載のキャップユニット。
【請求項７】
前記通気口は、弾性部材に設けられた通気孔からなり、
前記弾性部材は、前記キャップ本体に取り付けられていることを特徴とする請求項１〜５の何れか一項に記載のキャップユニット。
【請求項８】
前記蓋開閉機構は、前記キャップ本体に回動自在に取り付けられた回動部材を有し、
前記回動部材の一端側を前記一の方向に回動操作することによって、前記スライド部材が前記スライド方向の一方側にスライドされると共に、前記蓋体が前記通液口を開放する方向に回動される一方、
前記回動部材の他端側を前記他の方向に回動操作することによって、前記スライド部材が前記スライド方向の他方側にスライドされると共に、前記蓋体が前記通液口を閉塞する方向に回動されることを特徴とする請求項１〜７の何れか一項に記載のキャップユニット。
【請求項９】
前記蓋ロック機構は、前記回動部材の一端側に前記回動部材の他端側に向けてスライド自在に取り付けられたロック部材と、
前記ロック部材をスライド方向の一端側に向けて付勢する付勢部材とを有し、
前記ロック部材がスライド方向の一端側に位置するとき、前記キャップ本体に設けられたストッパー部に前記ロック部材が当接されることによって、前記回動部材の一端側を押圧する方向への回動が阻止され、
前記付勢部材の付勢に抗して前記ロック部材をスライド方向の他端側に向けてスライド操作することによって、前記ロック部材と前記ストッパー部との当接状態が解除され、前記回動部材が前記一の方向に回動可能となることを特徴とする請求項８に記載のキャップユニット。
【請求項１０】
前記蓋体は、その内側から下方に突出された突起部を有し、
前記蓋ロック機構により前記蓋体が固定されたとき、前記ストローに当接された前記突起部が前記ストローを押し潰しながら、前記ストローの通液路を閉塞することを特徴とする請求項１〜９の何れか一項に記載のキャップユニット。
【請求項１１】
請求項１〜１０の何れか一項に記載のキャップユニットと、
前記キャップユニットが取り付けられた容器本体とを備えるキャップ付き容器。
【請求項１２】
前記容器本体は、真空断熱構造を有することを特徴とする請求項１１に記載のキャップ付き容器。
【発明の詳細な説明】
【技術分野】
【０００１】
本発明は、キャップユニット及びキャップ付き容器に関する。
【背景技術】
【０００２】
従来より、上部が開口した容器本体の口頸部に着脱自在に取り付けられるキャップユニット（栓体）がある。その中でも、容器本体の上部開口部を閉塞すると共に、可撓性を有するストローが上部から突出して設けられたキャップ本体と、キャップ本体にヒンジ部を介して回動自在に取り付けられた蓋体と、蓋体をキャップ本体に対して固定する蓋ロック機構とを備えたストロー付きのキャップユニットが提案されている（例えば、特許文献１，２を参照。）。
【０００３】
このようなキャップユニットを備えたキャップ付き容器では、蓋ロック機構により蓋体がキャップ本体に対して固定されたときに、蓋体の内側にストローが折り曲げられた状態で収容される。また、蓋体の内側に設けられた突起部がストローに当接し、このストローを押し潰すことによって、ストローの通液路を閉塞する。一方、蓋ロック機構による蓋体の固定を解除することによって、蓋体を開方向に回動させながら、ストローが折り曲げられた状態から元の状態へと弾性復帰する。これにより、ストローを通して容器本体内の飲料を飲むことができる。
【先行技術文献】
【特許文献】
【０００４】
【特許文献１】特開２００２−１７３１６２号公報
【特許文献２】特開２０１５−５１７８１号公報
【発明の概要】
【発明が解決しようとする課題】
【０００５】
ところで、上述したストロー付きのキャップユニットを備えたキャップ付き容器では、蓋ロック機構による蓋体の固定が解除された際に、ストロー内の残液が外部に飛散することを防止するため、キャップ本体の上部に設けられた通気口から内部の空気を容器本体の外部へと放出することが行われている。
【０００６】
この場合、ストローが折り曲げられた状態から元の状態へと弾性復帰するよりも先に、通気口を確実に開放することが求められる。逆に、蓋ロック機構により蓋体がキャップ本体に固定されたときには、通気口を確実に閉塞しておく必要がある。
【０００７】
一方、上述したストロー付きのキャップユニットでは、ストローが折り曲げられた状態から元の状態へと弾性復帰する際に、このストローの弾性力により開方向に回動される蓋体の速度を調整することは困難である。
【０００８】
したがって、このようなストロー付きのキャップユニットを備えたキャップ付き容器では、蓋体をゆっくりと開けたり、蓋体を途中まで開けたりする操作を容器本体を持ちながら、片手で行うことは困難である。さらに、蓋体を閉方向に回動させながら、蓋ロック機構により蓋体をキャップ本体に固定する操作についても、容器本体を持ちながら、片手で行うことは困難である。
【０００９】
本発明は、このような従来の事情に鑑みて提案されたものであり、通気口の開閉を適切に行うと共に、蓋体を開閉する際の操作性を向上させることによって、使い勝手の更なる向上を可能としたストロー付きのキャップユニット、並びにそのようなキャップユニットを備えたキャップ付き容器を提供することを目的とする。
【課題を解決するための手段】
【００１０】
上記目的を達成するために、本発明は以下の手段を提供する。
〔１〕  上部が開口した容器本体の口頸部に着脱自在に取り付けられるキャップユニットであって、
前記容器本体の上部開口部を閉塞すると共に、可撓性を有するストローが上部から突出して設けられたキャップ本体と、
前記キャップ本体に回動自在に取り付けられた状態で、前記ストローを折り曲げた状態で収容する蓋体と、
前記蓋体を手動で開閉操作するための蓋開閉機構と、
前記蓋体が前記ストローを収容した位置にて前記蓋体を前記キャップ本体に対して固定する蓋ロック機構とを備え、
前記蓋開閉機構は、前記キャップ本体にスライド自在に取り付けられたスライド部材を有し、
前記スライド部材がスライド方向の一方側に向けてスライドされることによって、前記スライド部材のスライドに連動して、前記蓋体が開方向に回動される一方、
前記スライド部材がスライド方向の他方側に向けてスライドされることによって、前記スライド部材のスライドに連動して、前記蓋体が閉方向に回動される構造を有し、
前記スライド部材は、前記キャップ本体に設けられた通気口を開閉する栓部を有し、
前記蓋ロック機構により前記蓋体が固定されたときに、前記栓部により前記通気口が閉塞される一方、
前記蓋ロック機構による前記蓋体の固定が解除されて、前記スライド部材がスライド方向の他方側に向けてスライドしたときに、前記通気口が開放されることを特徴とするキャップユニット。
〔２〕  上部が開口した容器本体の口頸部に着脱自在に取り付けられるキャップユニットであって、
前記容器本体の上部開口部を閉塞すると共に、可撓性を有するストローが上部から突出して設けられたキャップ本体と、
前記キャップ本体に回動自在に取り付けられた状態で、前記ストローを折り曲げた状態で収容する蓋体と、
前記蓋体を手動で開閉操作するための蓋開閉機構と、
前記蓋体が前記ストローを収容した位置にて前記蓋体を前記キャップ本体に対して固定する蓋ロック機構とを備え、
前記蓋開閉機構は、前記キャップ本体にスライド自在に取り付けられたスライド部材を有し、
前記スライド部材がスライド方向の一方側に向けてスライドされることによって、前記スライド部材のスライドに連動して、前記蓋体が開方向に回動される一方、
前記スライド部材がスライド方向の他方側に向けてスライドされることによって、前記スライド部材のスライドに連動して、前記蓋体が閉方向に回動される構造を有し、
前記蓋体は、前記キャップ本体に設けられた通気口を開閉する栓部を有し、
前記蓋ロック機構により前記蓋体が固定されたとき、前記栓部により前記通気口が閉塞される一方、
前記蓋ロック機構による前記蓋体の固定が解除されて、前記蓋体が開方向に回動されたときに、前記通気口が開放されることを特徴とするキャップユニット。
〔３〕  上部が開口した容器本体の口頸部に着脱自在に取り付けられるキャップユニットであって、
前記容器本体の上部開口部を閉塞すると共に、可撓性を有するストローが上部から突出して設けられたキャップ本体と、
前記キャップ本体に回動自在に取り付けられた状態で、前記ストローを折り曲げた状態で収容する蓋体と、
前記蓋体を手動で開閉操作するための蓋開閉機構と、
前記蓋体が前記ストローを収容した位置にて前記蓋体を前記キャップ本体に対して固定する蓋ロック機構とを備え、
前記蓋開閉機構は、前記キャップ本体にスライド自在に取り付けられたスライド部材を有し、
前記スライド部材がスライド方向の一方側に向けてスライドされることによって、前記スライド部材のスライドに連動して、前記蓋体が開方向に回動される一方、
前記スライド部材がスライド方向の他方側に向けてスライドされることによって、前記スライド部材のスライドに連動して、前記蓋体が閉方向に回動される構造を有し、
前記蓋ロック機構により前記蓋体が固定されたときに、前記ストローにより前記通気口が閉塞される一方、
前記蓋ロック機構による前記蓋体の固定が解除されて、前記ストローが折り曲げられた状態から元の状態へと弾性復帰したときに、前記通気口が開放されることを特徴とするキャップユニット。
〔４〕  前記通気口は、前記キャップ本体の前記蓋体により閉塞される領域の内側に設けられていることを特徴とする前記〔１〕〜〔３〕の何れか一項に記載のキャップユニット。
〔５〕  前記通気口は、前記キャップ本体の前記蓋体により閉塞される領域の外側に設けられていることを特徴とする前記〔１〕に記載のキャップユニット。
〔６〕  前記栓部は、弾性部材からなることを特徴とする前記〔１〕〜〔５〕の何れか一項に記載のキャップユニット。
〔７〕  前記通気口は、弾性部材に設けられた通気孔からなり、
前記弾性部材は、前記キャップ本体に取り付けられていることを特徴とする前記〔１〕〜〔５〕の何れか一項に記載のキャップユニット。
〔８〕  前記蓋開閉機構は、前記キャップ本体に回動自在に取り付けられた回動部材を有し、
前記回動部材の一端側を前記一の方向に回動操作することによって、前記スライド部材が前記スライド方向の一方側にスライドされると共に、前記蓋体が前記通液口を開放する方向に回動される一方、
前記回動部材の他端側を前記他の方向に回動操作することによって、前記スライド部材が前記スライド方向の他方側にスライドされると共に、前記蓋体が前記通液口を閉塞する方向に回動されることを特徴とする前記〔１〕〜〔７〕の何れか一項に記載のキャップユニット。
〔９〕  前記蓋ロック機構は、前記回動部材の一端側に前記回動部材の他端側に向けてスライド自在に取り付けられたロック部材と、
前記ロック部材をスライド方向の一端側に向けて付勢する付勢部材とを有し、
前記ロック部材がスライド方向の一端側に位置するとき、前記キャップ本体に設けられたストッパー部に前記ロック部材が当接されることによって、前記回動部材の一端側を押圧する方向への回動が阻止され、
前記付勢部材の付勢に抗して前記ロック部材をスライド方向の他端側に向けてスライド操作することによって、前記ロック部材と前記ストッパー部との当接状態が解除され、前記回動部材が前記一の方向に回動可能となることを特徴とする前記〔８〕に記載のキャップユニット。
〔１０〕  前記蓋体は、その内側から下方に突出された突起部を有し、
前記蓋ロック機構により前記蓋体が固定されたとき、前記ストローに当接された前記突起部が前記ストローを押し潰しながら、前記ストローの通液路を閉塞することを特徴とする前記〔１〕〜〔９〕の何れか一項に記載のキャップユニット。
〔１１〕  前記〔１〕〜〔１０〕の何れか一項に記載のキャップユニットと、
前記キャップユニットが取り付けられた容器本体とを備えるキャップ付き容器。
〔１２〕  前記容器本体は、真空断熱構造を有することを特徴とする前記〔１１〕に記載のキャップ付き容器。
【発明の効果】
【００１１】
以上のように、本発明によれば、通気口の開閉を適切に行うと共に、蓋体を開閉する際の操作性を向上させることによって、使い勝手の更なる向上を可能としたストロー付きのキャップユニット、並びにそのようなキャップユニットを備えたキャップ付き容器を提供することが可能である。
【図面の簡単な説明】
【００１２】
【図１】本発明の第１の実施形態に係るキャップ付き容器が備えるキャップユニットの閉塞状態を示す断面図である。
【図２】図１に示すキャップユニットが備える蓋開閉機構の閉塞状態を示す前後方向に沿った断面図である。
【図３】図１に示すキャップユニットが備える蓋開閉機構の閉塞状態を示す左右方向に沿った断面図である。
【図４】図１に示すキャップユニットの閉塞状態を示す側面図である。
【図５】図１に示すキャップユニットの閉塞状態を示す正面図である。
【図６】図１に示すキャップユニットの閉塞状態を示す上面図である。
【図７】図１に示すキャップユニットの開放状態を示す断面図である。
【図８】図１に示すキャップユニットが備える蓋開閉機構の開放状態を示す前後方向に沿った断面図である。
【図９】図１に示すキャップユニットが備える蓋開閉機構の開放状態を示す左右方向に沿った断面図である。
【図１０】図１に示すキャップユニットの開放状態を示す側面図である。
【図１１】図１に示すキャップユニットの開放状態を示す正面図である。
【図１２】図１に示すキャップユニットの開放状態を示す上面図である。
【図１３】本発明の第２の実施形態に係るキャップ付き容器が備えるキャップユニットの閉塞状態を示す断面図である。
【図１４】図１３に示すキャップユニットが備える蓋開閉機構の閉塞状態を示す前後方向に沿った断面図である。
【図１５】図１３に示すキャップユニットが備える蓋開閉機構の閉塞状態を示す左右方向に沿った断面図である。
【図１６】図１３に示すキャップユニットの閉塞状態を示す側面図である。
【図１７】図１３に示すキャップユニットの閉塞状態を示す正面図である。
【図１８】図１３に示すキャップユニットの閉塞状態を示す上面図である。
【図１９】図１３に示すキャップユニットの開放状態を示す断面図である。
【図２０】図１３に示すキャップユニットが備える蓋開閉機構の開放状態を示す前後方向に沿った断面図である。
【図２１】図１３に示すキャップユニットが備える蓋開閉機構の開放状態を示す左右方向に沿った断面図である。
【図２２】図１３に示すキャップユニットの開放状態を示す側面図である。
【図２３】図１３に示すキャップユニットの開放状態を示す正面図である。
【図２４】図１３に示すキャップユニットの開放状態を示す上面図である。
【図２５】本発明の第３の実施形態に係るキャップ付き容器が備えるキャップユニットの閉塞状態を示す断面図である。
【図２６】図２５に示すキャップユニットが備える蓋開閉機構の閉塞状態を示す前後方向に沿った断面図である。
【図２７】図２５に示すキャップユニットが備える蓋開閉機構の閉塞状態を示す左右方向に沿った断面図である。
【図２８】図２５に示すキャップユニットの閉塞状態を示す側面図である。
【図２９】図２５に示すキャップユニットの閉塞状態を示す正面図である。
【図３０】図２５に示すキャップユニットの閉塞状態を示す上面図である。
【図３１】図２５に示すキャップユニットの開放状態を示す断面図である。
【図３２】図２５に示すキャップユニットが備える蓋開閉機構の開放状態を示す前後方向に沿った断面図である。
【図３３】図２５に示すキャップユニットが備える蓋開閉機構の開放状態を示す左右方向に沿った断面図である。
【図３４】図２５に示すキャップユニットの開放状態を示す側面図である。
【図３５】図２５に示すキャップユニットの開放状態を示す正面図である。
【図３６】図２５に示すキャップユニットの開放状態を示す上面図である。
【発明を実施するための形態】
【００１３】
以下、本発明の実施形態について、図面を参照して詳細に説明する。
（第１の実施形態）
先ず、本発明の第１の実施形態として、例えば図１〜図１２に示すキャップユニット１Ａを備えたキャップ付き容器１００について説明する。
【００１４】
なお、図１は、キャップ付き容器１００が備えるキャップユニット１Ａの閉塞状態を示す断面図である。図２は、キャップユニット１Ａが備える蓋開閉機構１０の閉塞状態を示す前後方向に沿った断面図である。図３は、キャップユニット１Ａが備える蓋開閉機構１０の閉塞状態を示す左右方向に沿った断面図である。図４は、キャップユニット１Ａの閉塞状態を示す側面図である。図５は、キャップユニット１Ａの閉塞状態を示す正面図である。図６は、キャップユニット１Ａの閉塞状態を示す上面図である。図７は、キャップユニット１Ａの開放状態を示す断面図である。図８は、キャップユニット１Ａが備える蓋開閉機構１０の開放状態を示す前後方向に沿った断面図である。図９は、キャップユニット１Ａが備える蓋開閉機構１０の開放状態を示す左右方向に沿った断面図である。図１０は、キャップユニット１Ａの開放状態を示す側面図である。図１１は、キャップユニット１Ａの開放状態を示す正面図である。図１２は、キャップユニット１Ａの開放状態を示す上面図である。
【００１５】
また、図１は、図５中の線分Ｉ−Ｉに示す位置における断面を表している。図２は、図５中の線分II−IIに示す位置における断面を表している。図３は、図４中の線分III−IIIに示す位置における断面を表している。図７は、図１１中の線分IV−IVに示す位置における断面を表している。図８は、図１１中の線分Ｖ−Ｖに示す位置における断面を表している。図９は、図１０中の線分VI−VIに示す位置における断面を表している。
【００１６】
本実施形態のキャップ付き容器１００は、図１〜図１２に示すように、本実施形態のキャップユニット１Ａと、このキャップユニット１Ａが着脱自在に取り付けられる容器本体２とを備えている。キャップ付き容器１００は、真空断熱構造を有する容器本体２によって、この容器本体２に収容された飲料（内容物）を保温又は保冷することが可能な飲料用容器である。
【００１７】
具体的に、この容器本体２は、例えばステンレス等からなる有底筒状の外容器３及び内容器４を有し、外容器３の内側に内容器４を収容した状態で互いの口元部を接合した二重構造の容器により構成されている。また、外容器３と内容器４との間には、真空断熱層５が設けられている。真空断熱層５は、例えば、高真空に減圧（真空引き）されたチャンバー内で、外容器３の底面中央部に設けられた脱気孔を塞ぐことによって形成することができる。
【００１８】
容器本体２は、略円形状の底面部２ａと、底面部２ａの外周から略円筒状に起立した胴部２ｂと、胴部２ｂの上部側において縮径された略円筒状の口頸部２ｃとを有している。また、口頸部２ｃの上端部は、容器本体２の上部開口部２ｄとして、円形状に開口している。また、口頸部２ｃの内周面は、胴部２ｂの内周面よりも縮径されている。
【００１９】
なお、本実施形態のキャップ付き容器１００は、全体として略円筒状の外観形状を有しているが、キャップ付き容器１００の外観形状については、特に限定されるものではなく、サイズやデザイン等に合わせて、適宜変更を加えることが可能である。また、容器本体２の外周面には、塗装や印刷等が施されていてもよい。
【００２０】
本実施形態のキャップユニット１Ａは、容器本体２の上部開口部２ｄを閉塞する栓体を構成するものである。また、キャップユニット１Ａは、上部に設けられたストロー６を通して容器本体２内の飲料を飲むことができるストロー付きのキャップユニットである。
【００２１】
具体的に、このキャップユニット１Ａは、可撓性を有するストロー６が上部から突出して設けられたキャップ本体７と、キャップ本体７に第１のヒンジ部８を介して回動自在に取り付けられた蓋体９と、蓋体９を手動で開閉操作するための蓋開閉機構１０と、蓋体９をキャップ本体７に対して固定する蓋ロック機構１１とを備えている。
【００２２】
なお、以下の説明では、キャップ本体７に第１のヒンジ部８を介して蓋体９が取り付けられる側をキャップ付き容器１００の「後側（背面側）」とし、それとは反対側をキャップ付き容器１００の「前側（正面側）」として説明する。
【００２３】
キャップ本体７は、例えばポリプロピレン等の耐熱性樹脂からなる。キャップ本体７は、容器本体２の胴部２ｂと連続するように略円筒状に形成された周壁部７ａと、周壁部７ａの上部を閉塞する略円板状の上壁部７ｂとを有している。
【００２４】
キャップ本体７は、容器本体２の口頸部２ｃに螺合により着脱自在に取り付けられている。このため、周壁部７ａの内周面には、雌ネジ部１２が設けられている。一方、口頸部２ｃの外周面には、雌ネジ部１２と螺合される雄ネジ部１３が設けられている。
【００２５】
キャップ本体７の上壁部７ｂには、ストロー６を貫通させる第１の貫通孔１４が設けられている。第１の貫通孔１４は、上壁部７ｂの中央よりも前側にずれた位置に設けられている。一方、キャップ本体７の内側には、ストロー６を形成するストロー形成部材１５が着脱自在に取り付けられている。ストロー形成部材１５は、例えばシリコーンゴム等のゴムやエラストマーなどの弾性部材からなる。ストロー６は、このストロー形成部材１５によりチューブ状に形成されている。
【００２６】
ストロー形成部材１５は、ストロー６の長さ方向の中途部に設けられたフランジ部１５ａと、ストロー６の下端部に設けられたパイプ接続部１５ｂとを有している。また、パイプ接続部１５ｂには、容器本体２に収容された飲料を吸い込む吸込パイプ１６が接続されている。吸込パイプ１６は、パイプ接続部１５ｂから容器本体２の底部まで円筒状に延びている。
【００２７】
ストロー形成部材１５は、上壁部７ｂの下面にフランジ部１５ａが当接されるまで、第１の貫通孔１４にストロー６を貫通させることによって、第１の貫通孔１４の内側にストロー６が嵌め付けられた状態で、キャップ本体７の内側に取り付けられている。
【００２８】
キャップ本体７の内側の下面には、止水パッキン１７が着脱自在に取り付けられている。止水パッキン１７は、リング状のシール部材であり、例えばシリコーンゴム等の耐熱性を有するゴムやエラストマーなどの弾性部材からなる。一方、キャップ本体７の内側の下面には、止水パッキン１７が嵌合される嵌合凹部７ｃが設けられている。
【００２９】
止水パッキン１７は、容器本体２の口頸部２ｃにキャップ本体７が取り付けられた際に、容器本体２の上部開口部２ｄ（口頸部２ｃの上端部）に全周に亘って密着した状態となる。これにより、容器本体２とキャップ本体７との間を密閉することが可能となっている。
【００３０】
一方、止水パッキン１７は、それ自体を弾性変形させる（引っ張り伸ばす）ことによって、嵌合凹部７ｃから取り外すことが可能である。これにより、止水パッキン１７とキャップ本体７とをそれぞれ別々に洗浄することができ、止水パッキン１７と嵌合凹部７ｃとの間を衛生的に保つことができる。
【００３１】
キャップ本体７の上壁部７ｂには、通気口１８が設けられている。通気口１８は、後述する蓋ロック機構１１による蓋体の固定が解除されて開放された際に、内部の空気を容器本体２の外部へと放出することによって、ストロー６内の液体が外部に飛散することを防止する。
【００３２】
具体的に、この通気口１８は、止水パッキン１７を構成する弾性部材に設けられた孔部１７ａからなる。孔部１７ａは、止水パッキン１７の一部（弾性部材）を上方に突出させた突出部１９に設けられている。一方、キャップ本体７の上壁部７ｂには、この突出部１９を貫通させる第２の貫通孔２０が設けられている。第２の貫通孔２０は、上壁部７ｂの第１のヒンジ部８よりも後側に設けられている。
【００３３】
第１のヒンジ部８は、上壁部７ｂの第１の貫通孔１４（ストロー６の取付位置）よりも後側に位置して、キャップ本体７の前後方向に沿って配置された蓋体９の基端（後端）側を回動自在に支持している。
【００３４】
蓋体９は、その内側にストロー６を折り曲げた状態で収容するものであり、例えばポリプロピレン等の合成樹脂からなる。蓋体９は、略方形筒状に形成された周壁部９ａと、周壁部９ａの天面を覆う天壁部９ｂとを有している。また、天壁部９ｂの下面には、突起部２１が下方に突出して設けられている。
【００３５】
蓋開閉機構１０は、キャップ本体７に第２のヒンジ部２２を介して回動自在に取り付けられた回動部材２３と、キャップ本体７にガイド部２４を介してスライド自在に取り付けられたスライド部材２５とを有している。
【００３６】
第２のヒンジ部２２は、キャップ本体７の前側の側面に設けられている。第２のヒンジ部２２は、キャップ本体７の上下方向に沿って配置された回動部材２３の中間部を回動自在に支持している。
【００３７】
回動部材２３は、例えばポリプロピレン（ＰＰ）等の耐熱性樹脂からなり、略矩形平板状に形成されている。第２のヒンジ部２２は、この回動部材２３における両側端の中間部に設けられている。これにより、回動部材２３は、キャップ本体７の前側の側面に対向した状態で、その上端（一端）側と下端（他端）側との間が第２のヒンジ部２２を介して回動自在に支持されている。
【００３８】
ガイド部２４は、キャップ本体７の上面（上壁部７ｂ）に設けられている。ガイド部２４は、ストロー６を挟んだ左右の両側に位置して、スライド部材２５の両側端を保持しながら、キャップ本体７の前後方向にスライド部材２５をスライド自在に支持している。
【００３９】
スライド部材２５は、例えばポリプロピレン（ＰＰ）等の耐熱性樹脂からなり、そのスライド方向に沿った両側端を形成する一対のラック部２５ａを有している。スライド部材２５は、ストロー６を挟んで平行に配置された一対のラック部２５ａがガイド部２４に保持されることによって、キャップ本体７の前後方向にスライド可能となっている。また、スライド部材２５は、一対のラック部２５ａの後端側が連結部２５ｂを介して連結された構成となっている。連結部２５ｂは、第１のヒンジ部８よりも後側に設けられている。
【００４０】
また、スライド部材２５には、通気口１８を開閉する栓部２６が設けられている。栓部２６は、後述する蓋ロック機構１１により蓋体９がキャップ本体７に固定されたときに、突出部１９の先端に当接しながら通気口１８（孔部１７ａ）を閉塞するように、連結部２５ｂの下面中央から突出して設けられている。
【００４１】
蓋開閉機構１０では、蓋体９の後端（基端）側とスライド部材２５の後端（一端）側とのうち、何れか一方（本実施形態では蓋体９の後端側）に設けられた第１の係合部２７と、何れか他方（本実施形態ではスライド部材２５の後端側）に設けられた第１の被係合部２８とが互いに係合されることによって、蓋体９の後端側とスライド部材２５の後端側とが連結されている。
【００４２】
第１の係合部２７は、蓋体９の両側端から外側に突出された一対のガイドピン２７ａからなる。一対のガイドピン２７ａは、蓋体９の回動中心（第１のヒンジ部８）よりも僅かに前側に位置して設けられている。一方、第１の被係合部２８は、一対のラック部２５ａ（スライド部材２５）の互いに対向する側面（内側面）において、一対のガイドピン２７ａが係合される一対のガイドスリット２８ａからなる。一対のガイドスリット２８ａは、蓋体９が回動したときに一対のガイドピン２７ａを案内するため、これら一対のガイドピン２７ａが移動する軌跡に合わせて切り欠き形成されている。
【００４３】
これにより、蓋体９は、スライド部材２５のスライドに連動して、一対のガイドスリット２８ａを一対のガイドピン２７ａが相対移動することによって、上下方向に回動可能となっている。
【００４４】
なお、本実施形態では、上述した蓋体９の後端（基端）側に第１の係合部２７（ガイドピン２７ａ）を設け、スライド部材２５の後端（一端）側に第１の被係合部２８（ガイドスリット２８ａ）を設けた構成となっているが、それとは逆の構成、すなわち、蓋体９の後端（基端）側に第１の被係合部２８（ガイドスリット２８ａ）を設け、スライド部材２５の後端（一端）側に第１の係合部２７（ガイドピン２７ａ）を設けた構成とすることも可能である。また、第１の係合部２７と第１の被係合部２８とは、上述したガイドピン２７ａがガイドスリット２８ａに係合される構成に限らず、互いの係合構造を適宜変更することが可能である。
【００４５】
また、蓋開閉機構１０では、図１、図６及び図７に示すように、回動部材２３の上端（一端）側とスライド部材２５の前端（他端）側とのうち、何れか一方（本実施形態では回動部材２３の上端側）に設けられた第２の係合部２９と、何れか他方（本実施形態ではスライド部材２５の前端側）に設けられた第２の被係合部３０とが互いに係合されることによって、回動部材２３の上端側とスライド部材２５の前端側とが連結されている。
【００４６】
第２の係合部２９は、回動部材２３の両側端の上部から突出された一対のガイド片２９ａからなる。一方、第２の被係合部３０は、一対のラック部２５ａ（スライド部材２５）の互いに対向する側面（内側面）において、一対のガイド片２９ａに係合された一対のガイドピン３０ａからなる。これにより、スライド部材２５は、回動部材２３の回動に連動して、キャップ本体７の前後方向にスライド可能となっている。
【００４７】
なお、本実施形態では、上述した回動部材２３の上端（一端）側に第２の係合部２９（ガイド片２９ａ）を設け、スライド部材２５の前端（他端）側に第２の被係合部３０（ガイドピン３０ａ）を設けた構成となっているが、それとは逆の構成、すなわち、回動部材２３の上端（一端）側に第２の被係合部３０（ガイドピン３０ａ）を設け、スライド部材２５の前端（他端）側に第２の係合部２９（ガイド片２９ａ）を設けた構成とすることも可能である。また、第２の係合部２９と第２の被係合部３０とは、上述したガイド片２９ａがガイドピン３０ａに係合される構成に限らず、互いの係合構造を適宜変更することが可能である。
【００４８】
蓋開閉機構１０では、回動部材２３の上端（一端）側をキャップ本体７の側面に接近する方向（一の方向）に回動操作することによって、回動部材２３の回動に連動して、スライド部材２５がスライド方向の後方（一方）側に向けてスライドされると共に、スライド部材２５のスライドに連動して、蓋体９が開放される方向（以下、開方向という。）に回動される。
【００４９】
一方、蓋開閉機構１０では、回動部材２３の下端（他端）側をキャップ本体７の側面に接近する方向（他の方向）に回動操作することによって、回動部材２３の回動に連動して、スライド部材２５がスライド方向の前方（他方）側に向けてスライドされると共に、スライド部材２５のスライドに連動して、蓋体９が閉塞される方向（以下、閉方向という。）に回動される。
【００５０】
蓋開閉機構１０は、図２に示すように、蓋体９とスライド部材２５とのうち、何れか一方（本実施形態では蓋体９）に設けられた係止部３１と、何れ他方（本実施形態ではスライド部材２５）に設けられた被係止部３２とを有している。
【００５１】
係止部３１は、図９及び図１１に示すように、蓋体９の両側端の中間部から内側に突出された一対の係止ピン３１ａからなる。一方、被係止部３２は、一対のラック部２５ａ（スライド部材２５）の互いに対向する側面（内側面）において、一対の係止ピン３１ａが係止される一対の係止スリット３２ａからなる。一対の係止スリット３２ａは、蓋体９が閉塞される位置にて一対の係止ピン３１ａが挿入され、この位置から更に、スライド部材２５がスライド方向の前方（他方）側にスライドしたときに、一対の係止ピン３１ａが係止されるように、これら一対の係止ピン３１ａが移動する軌跡に合わせて切り欠き形成されている。
【００５２】
蓋開閉機構１０では、蓋体９が閉塞されたとき、ストロー６が２箇所で逆向きに折り曲げられた状態で蓋体９の内側に収容されると共に、ストロー６に当接された突起部２１がストロー６を押し潰しながら、ストロー６の通液路を閉塞する。
【００５３】
蓋開閉機構１０では、蓋体９が閉塞された状態から更に、スライド部材２５がスライド方向の前方（他方）側にスライドされることによって、係止ピン３１ａ（係止部３１）が係止スリット３２ａ（被係止部３２）に係止され、蓋体９の開方向への回動が阻止される。
【００５４】
なお、本実施形態では、上述した蓋体９側に係止部３１（係止ピン３１ａ）を設け、スライド部材２５側に被係止部３２（係止スリット３２ａ）を設けた構成となっているが、それとは逆の構成、すなわち、蓋体９側に被係止部３２（係止スリット３２ａ）を設け、スライド部材２５側に係止部３１（係止ピン３１ａ）を設けた構成とすることも可能である。また、係止部３１と被係止部３２とは、上述した係止ピン３１ａが係止スリット３２に係止される構成に限らず、互いの係止構造を適宜変更することが可能である。
【００５５】
蓋ロック機構１１は、回動部材２３の上端（一端）側にスライド自在に取り付けられたロック部材３３と、ロック部材３３をスライド方向の下方（一方）側に向けて付勢するコイルバネ（付勢部材）３４とを有している。
【００５６】
ロック部材３３は、例えばポリプロピレン（ＰＰ）等の耐熱性樹脂からなり、略矩形平板状に形成されている。ロック部材３３は、回動部材２３の上端（一端）側の前面と重なるように配置されると共に、回動部材２３に対して上下方向にスライド自在に取り付けられている。
【００５７】
ロック部材３３の両側端から外側に突出された一対のロック片３３ａを有している。一方、キャップ本体７には、これら一対のロック片３３ａが当接されるストッパー部３５が設けられている。ストッパー部３５は、図２及び図８に示すように、蓋体９が閉塞される位置にて、スライド方向の下方（一方）側に位置するロック部材３３の一対のロック片３３ａと各々当接される一対の段差部３５ａを有している。
【００５８】
コイルバネ３４は、ロック部材３３と回動部材２３との間に圧縮された状態で配置されることによって、回動部材２３に対してロック部材３３をスライド方向の下方（一方）側に向けて付勢している。
【００５９】
蓋ロック機構１１では、蓋体９が閉塞されるとき、ロック部材３３がコイルバネ３４の付勢によりスライド方向の下方側に位置している。この状態で、上述した回動部材２３の上端（一端）側をキャップ本体７の側面に接近する方向（開方向）に回動操作しても、一対のロック片３３ａが一対の段差部３５ａと当接されるため、上述した回動部材２３の回動が阻止（ロック）される。これにより、蓋体９が閉塞される位置にて蓋体９を固定し、回動部材２３の不用意な操作によって蓋体９が開くことを防止できる。
【００６０】
一方、蓋ロック機構１１では、コイルバネ３４の付勢に抗してロック部材３３をスライド方向の上方（他方）側に向けてスライド操作することによって、上述した一対のロック片３３ａと一対の段差部３５ａとの当接状態（ロック状態）が解除される。したがって、この状態から、回動部材２３の上端（一端）側をキャップ本体７の側面に接近する方向（開方向）に回動操作することによって、蓋体９を開方向に回動させることが可能である。
【００６１】
さらに、蓋ロック機構１１による蓋体９の固定を解除することによって、蓋体９を開方向に回動させながら、ストロー６が折り曲げられた状態から元の状態へと弾性復帰する。これにより、ストロー６を通して容器本体２内の飲料を飲むことが可能である。
【００６２】
以上のように、本実施形態のキャップユニット１Ａでは、上述した回動部材２３の回動操作によって、蓋体９を手動で開閉することができる。また、このキャップユニット１Ａを備えるキャップ付き容器１００では、蓋体９をゆっくりと開けたり、蓋体９を途中まで開けたりする操作を容器本体２を持ちながら、片手で行うことが可能である。
【００６３】
また、本実施形態のキャップユニット１Ａでは、蓋ロック機構１１により蓋体９が固定されたときに、スライド部材２５に設けられた栓部２６により通気口１８（孔部１７ａ）を確実に閉塞することができる。一方、蓋ロック機構１１による蓋体９の固定が解除されて、スライド部材２５がスライド方向の後方（他方）側に向けてスライドしたときに、ストロー６が折り曲げられた状態から元の状態へと弾性復帰するよりも先に、通気口１８（孔部１７ａ）を確実に開放することが可能である。
【００６４】
以上のようにして、本実施形態のキャップユニット１Ａでは、通気口１８の開閉を適切に行うと共に、蓋体９を開閉する際の操作性を向上させることが可能である。したがって、このようなキャップユニット１Ａを備えるキャップ付き容器１００では、蓋ロック機構１１による蓋体９の固定が解除された際に、ストロー６内の残液が外部に飛散することを防止すると共に、使い勝手の更なる向上を図ることが可能である。
【００６５】
なお、上記キャップユニット１Ａでは、上述した通気口１８が止水パッキン１７を構成する弾性部材に設けられた孔部１７ａからなる構成となっているが、止水パッキン１７とは別体の弾性部材に設けられた孔部１７ａからなる構成であってもよい。
【００６６】
また、通気口１８は、キャップ本体７の上壁部７ｂに設けられた孔部からなる構成であってよい。この場合、栓部２６については、スライド部材２５に取り付けられた弾性部材からなることが好ましい。これにより、蓋ロック機構１１により蓋体９が固定されたときに、栓部２６が弾性変形しながら通気口１８を確実に閉塞することが可能である。
【００６７】
また、上記キャップユニット１Ａでは、通気口１８がキャップ本体７の蓋体９により閉塞される領域の外側に設けられた構成となっているが、キャップ本体７の蓋体９により閉塞される領域の内側に通気口１８が設けられた構成としてもよい。この場合、栓部２６については、第１のヒンジ部８よりも前側に設けられたスライド部材２５の連結部２５ｂに取り付けられた構成とすればよい。これにより、蓋ロック機構１１により蓋体９が固定されたときに、スライド部材２５に設けられた栓部２６により通気口１８を確実に閉塞することが可能である。
【００６８】
（第２の実施形態）
次に、本発明の第２の実施形態として、例えば図１３〜図２４に示すキャップユニット１Ｂを備えたキャップ付き容器１００について説明する。なお、以下の説明では、上記キャップユニット１Ａと同等の部位については、説明を省略すると共に、図面において同じ符号を付すものとする。
【００６９】
なお、図１３は、キャップ付き容器１００が備えるキャップユニット１Ｂの閉塞状態を示す断面図である。図１４は、キャップユニット１Ｂが備える蓋開閉機構１０の閉塞状態を示す前後方向に沿った断面図である。図１５は、キャップユニット１Ｂが備える蓋開閉機構１０の閉塞状態を示す左右方向に沿った断面図である。図１６は、キャップユニット１Ｂの閉塞状態を示す側面図である。図１７は、キャップユニット１Ｂの閉塞状態を示す正面図である。図１８は、キャップユニット１Ｂの閉塞状態を示す上面図である。図１９は、キャップユニット１Ｂの開放状態を示す断面図である。図２０は、キャップユニット１Ｂが備える蓋開閉機構１０の開放状態を示す前後方向に沿った断面図である。図２１は、キャップユニット１Ｂが備える蓋開閉機構１０の開放状態を示す左右方向に沿った断面図である。図２２は、キャップユニット１Ｂの開放状態を示す側面図である。図２３は、キャップユニット１Ｂの開放状態を示す正面図である。図２４は、キャップユニット１Ｂの開放状態を示す上面図である。
【００７０】
また、図１３は、図１７中の線分Ｉ−Ｉに示す位置における断面を表している。図１４は、図１７中の線分II−IIに示す位置における断面を表している。図１５は、図１６中の線分III−IIIに示す位置における断面を表している。図１９は、図２３中の線分IV−IVに示す位置における断面を表している。図２０は、図２３中の線分Ｖ−Ｖに示す位置における断面を表している。図２１は、図２２中の線分VI−VIに示す位置における断面を表している。
【００７１】
本実施形態のキャップユニット１Ｂは、上記キャップユニット１Ａの代わりに、容器本体２に取り付けられることによって、上記キャップ付き容器１００を構成するものである。
【００７２】
具体的に、このキャップユニット１Ｂは、図１３〜図２４に示すように、上記キャップユニット１Ａの通気口１８がキャップ本体７の蓋体９により閉塞される領域の外側に設けられた構成であるのに対し、キャップ本体７の蓋体９により閉塞される領域の内側に通気口１８が設けられた構成となっている。
【００７３】
通気口１８は、弾性部材３６に設けられた孔部３６ａからなる。弾性部材３６は、止水パッキン１７を構成する弾性部材とは別に、キャップ本体７の内側の下面に取り付けられている。孔部３６ａは、弾性部材３６から上方に突出された突出部３７に設けられている。一方、キャップ本体７の上壁部７ｂには、この突出部３７を貫通させる第２の貫通孔２０が設けられている。第２の貫通孔２０は、上壁部７ｂの第１のヒンジ部８よりも前側に設けられている。
【００７４】
蓋体９には、通気口１８を開閉する栓部３８が設けられている。栓部３８は、蓋ロック機構１１により蓋体９がキャップ本体７に固定されたときに、突出部３７の先端に当接しながら通気口１８（孔部３６ａ）を閉塞するように、蓋体９の下面から突出して設けられている。
【００７５】
以上のように、本実施形態のキャップユニット１Ｂでは、上述した回動部材２３の回動操作によって、蓋体９を手動で開閉することができる。また、このキャップユニット１Ｂを備えるキャップ付き容器１００では、蓋体９をゆっくりと開けたり、蓋体９を途中まで開けたりする操作を容器本体２を持ちながら、片手で行うことが可能である。
【００７６】
また、本実施形態のキャップユニット１Ｂでは、蓋ロック機構１１により蓋体９が固定されたときに、蓋体９に設けられた栓部３８により通気口１８（孔部３６ａ）を確実に閉塞することができる。一方、蓋ロック機構１１による蓋体９の固定が解除されて、蓋体９が開方向に回動されたときに、ストロー６が折り曲げられた状態から元の状態へと弾性復帰するよりも先に、通気口１８（孔部３６ａ）を確実に開放することが可能である。
【００７７】
なお、上記キャップユニット１Ｂでは、上述した通気口１８が弾性部材３６に設けられた孔部３６ａからなる構成となっているが、キャップ本体７の上壁部７ｂに設けられた孔部からなる構成であってよい。この場合、栓部３８については、蓋体９に取り付けられた弾性部材からなることが好ましい。これにより、蓋ロック機構１１により蓋体９が固定されたときに、栓部３８が弾性変形しながら通気口１８を確実に閉塞することが可能である。
【００７８】
以上のようにして、本実施形態のキャップユニット１Ｂでは、通気口１８の開閉を適切に行うと共に、蓋体９を開閉する際の操作性を向上させることが可能である。したがって、このようなキャップユニット１Ｂを備えるキャップ付き容器１００では、蓋ロック機構１１による蓋体９の固定が解除された際に、ストロー６内の残液が外部に飛散することを防止すると共に、使い勝手の更なる向上を図ることが可能である。
【００７９】
（第３の実施形態）
次に、本発明の第３の実施形態として、例えば図２５〜図３６に示すキャップユニット１Ｃを備えたキャップ付き容器１００について説明する。なお、以下の説明では、上記キャップユニット１Ａと同等の部位については、説明を省略すると共に、図面において同じ符号を付すものとする。
【００８０】
なお、図２５は、キャップ付き容器１００が備えるキャップユニット１Ｃの閉塞状態を示す断面図である。図２６は、キャップユニット１Ｃが備える蓋開閉機構１０の閉塞状態を示す前後方向に沿った断面図である。図２７は、キャップユニット１Ｃが備える蓋開閉機構１０の閉塞状態を示す左右方向に沿った断面図である。図２８は、キャップユニット１Ｃの閉塞状態を示す側面図である。図２９は、キャップユニット１Ｃの閉塞状態を示す正面図である。図３０は、キャップユニット１Ｃの閉塞状態を示す上面図である。図３１は、キャップユニット１Ｃの開放状態を示す断面図である。図３２は、キャップユニット１Ｃが備える蓋開閉機構１０の開放状態を示す前後方向に沿った断面図である。図３３は、キャップユニット１Ｃが備える蓋開閉機構１０の開放状態を示す左右方向に沿った断面図である。図３４は、キャップユニット１Ｃの開放状態を示す側面図である。図３５は、キャップユニット１Ｃの開放状態を示す正面図である。図３６は、キャップユニット１Ｃの開放状態を示す上面図である。
【００８１】
また、図２５は、図２９中の線分Ｉ−Ｉに示す位置における断面を表している。図２６は、図２９中の線分II−IIに示す位置における断面を表している。図２７は、図２８中の線分III−IIIに示す位置における断面を表している。図３１は、図３５中の線分IV−IVに示す位置における断面を表している。図３２は、図３５中の線分Ｖ−Ｖに示す位置における断面を表している。図３３は、図３４中の線分VI−VIに示す位置における断面を表している。
【００８２】
本実施形態のキャップユニット１Ｃは、上記キャップユニット１Ａの代わりに、容器本体２に取り付けられることによって、上記キャップ付き容器１００を構成するものである。
【００８３】
具体的に、このキャップユニット１Ｃは、図２５〜図３６に示すように、上記キャップユニット１Ａの通気口１８が栓部２６により開閉される構成であるのに対し、ストロー６により開閉される構成となっている。
【００８４】
通気口１８は、キャップ本体７の上壁部７ｂに設けられた孔部７ｄからなる。孔部７ｄは、蓋ロック機構１１により蓋体９がキャップ本体７に対して固定されたときに、蓋体９の突起部２１と対向する位置に設けられている。これにより、突起部２１により押し潰されたストロー６が突起部２１との間で孔部７ｄの周囲と密着し、通気口１８（孔部７ｄ）を確実に閉塞することができる。
【００８５】
以上のように、本実施形態のキャップユニット１Ｃでは、上述した回動部材２３の回動操作によって、蓋体９を手動で開閉することができる。また、このキャップユニット１Ｃを備えるキャップ付き容器１００では、蓋体９をゆっくりと開けたり、蓋体９を途中まで開けたりする操作を容器本体２を持ちながら、片手で行うことが可能である。
【００８６】
また、本実施形態のキャップユニット１Ｃでは、蓋ロック機構１１により蓋体９が固定されたときに、ストロー６により通気口１８（孔部７ｄ）を確実に閉塞することができる。一方、蓋ロック機構１１による蓋体９の固定が解除されて、蓋体９が開方向に回動されたときに、ストロー６が折り曲げられた状態から元の状態へと弾性復帰するよりも先に、通気口１８（孔部７ｄ）を確実に開放することが可能である。
【００８７】
以上のようにして、本実施形態のキャップユニット１Ｃでは、通気口１８の開閉を適切に行うと共に、蓋体９を開閉する際の操作性を向上させることが可能である。したがって、このようなキャップユニット１Ｃを備えるキャップ付き容器１００では、蓋ロック機構１１による蓋体９の固定が解除された際に、ストロー６内の残液が外部に飛散することを防止すると共に、使い勝手の更なる向上を図ることが可能である。
【００８８】
なお、本発明は、上記実施形態のものに必ずしも限定されるものではなく、本発明の趣旨を逸脱しない範囲において種々の変更を加えることが可能である。
【００８９】
すなわち、上記実施形態では、上述した真空断熱構造を有する容器本体２によって保温・保冷機能を持たせたキャップ付き容器１００に本発明を適用した場合を例示しているが、このような真空断熱構造を有する容器本体２を備えたものに必ずしも限定されるものではない。すなわち、本発明は、キャップユニットが容器本体の口頸部に着脱自在に取り付けられるキャップ付き容器に対して幅広く適用することが可能である。
【符号の説明】
【００９０】
１００…キャップ付き容器  １Ａ，１Ｂ，１Ｃ…キャップユニット  ２…容器本体  ２ｃ…口頸部  ２ｄ…上部開口部  ３…外容器  ４…内容器  ５…真空断熱層  ６…ストロー  ７…キャップ本体  ８…第１のヒンジ部  ９…蓋体  １０…蓋開閉機構  １１…蓋ロック機構  １２…雌ネジ部  １３…雄ネジ部  １４…第１の貫通孔  １５…ストロー形成部材  １６…吸込パイプ  １７…止水パッキン  １８…通気口  １９…突出部  ２０…第２の貫通孔  ２１…突起部  ２２…第２のヒンジ部  ２３…回動部材  ２４…ガイド部  ２５…スライド部材  ２６…栓部  ２７…第１の係合部  ２８…第１の被係合部  ２９…第２の係合部  ３０…第２の被係合部  ３１…係止部  ３２…被係止部  ３３…ロック部材  ３４…コイルバネ（付勢部材）  ３５…ストッパー部  ３６…弾性部材  ３７…突出部  ３８…栓部
【図１】
2019006491.tif 000003
【図２】
2019006491.tif 000004
【図３】
2019006491.tif 000005
【図４】
2019006491.tif 000006
【図５】
2019006491.tif 000007
【図６】
2019006491.tif 000008
【図７】
2019006491.tif 000009
【図８】
2019006491.tif 000010
【図９】
2019006491.tif 000011
【図１０】
2019006491.tif 000012
【図１１】
2019006491.tif 000013
【図１２】
2019006491.tif 000014
【図１３】
2019006491.tif 000015
【図１４】
2019006491.tif 000016
【図１５】
2019006491.tif 000017
【図１６】
2019006491.tif 000018
【図１７】
2019006491.tif 000019
【図１８】
2019006491.tif 000020
【図１９】
2019006491.tif 000021
【図２０】
2019006491.tif 000022
【図２１】
2019006491.tif 000023
【図２２】
2019006491.tif 000024
【図２３】
2019006491.tif 000025
【図２４】
2019006491.tif 000026
【図２５】
2019006491.tif 000027
【図２６】
2019006491.tif 000028
【図２７】
2019006491.tif 000029
【図２８】
2019006491.tif 000030
【図２９】
2019006491.tif 000031
【図３０】
2019006491.tif 000032
【図３１】
2019006491.tif 000033
【図３２】
2019006491.tif 000034
【図３３】
2019006491.tif 000035
【図３４】
2019006491.tif 000036
【図３５】
2019006491.tif 000037
【図３６】
2019006491.tif 000038